(57)【要約】【課題】２つ以上の論理ページで構成される画像データの各論理ページが割付情報に基づいて割り付けられる複数の記録媒体の中の所望の記録媒体に所定の論理ページを割り付けて画像出力することが可能な画像出力装置及び画像出力方法を提供すること。【解決手段】入力手段（８０）と、入力手段からの複数の記録媒体の中の所望の記録媒体を示す記録媒体指定情報の入力を受け、割付情報に基づいて、記録媒体指定情報が示す記録媒体に割り付けられる論理ページを求める演算手段（１０４）と、画像データの中の演算手段により求められた論理ページを割付情報に基づいて画像出力することを特徴とする。【選択図】図４
2007043645.tif 000002
【特許請求の範囲】
【請求項１】
２つ以上の論理ページで構成される画像データと各前記論理ページの記録媒体への割り付けを示す割付情報とを関連付けて記憶する記憶手段を備え、前記割付情報に基づいて前記画像データの各論理ページを複数の記録媒体に割り付けて画像出力する画像出力装置であって、
入力手段と、
前記入力手段からの前記複数の記録媒体の中の所望の記録媒体を示す記録媒体指定情報の入力を受け、前記割付情報に基づいて、前記記録媒体指定情報が示す記録媒体に割り付けられる論理ページを求める演算手段と、
前記求められた論理ページを前記割付情報に基づいて画像出力する画像出力手段とを備えることを特徴とする画像出力装置。
【請求項２】
前記画像出力手段は、前記求められた論理ページを前記割付情報に基づいて記録媒体に割り付けて画像形成する請求項１に記載の画像出力装置。
【請求項３】
前記演算手段は、前記入力手段からの前記複数の記録媒体の中のいずれか１つを示す記録媒体指定情報の入力を受ける請求項１または請求項２に記載の画像出力装置。
【請求項４】
前記割付情報に対応する各記録媒体に割り付けられる論理ページの数を示すテーブルを更に備え、
前記演算手段は、当該割付情報に対応する前記論理ページの数と前記記録媒体指定情報とから前記記録媒体指定情報が示す記録媒体に割り付けられる論理ページを求める請求項１乃至請求項３のいずれかに記載の画像出力装置。
【請求項５】
前記演算手段は、前記割付情報に基づいて前記各論理ページと前記各論理ページが割り付けられる記録媒体との対応関係を求め、前記対応関係を用いて前記記録媒体指定情報が示す記録媒体に割り付けられる論理ページを求める請求項１乃至請求項３のいずれかに記載の画像出力装置。
【請求項６】
前記演算手段により求められる論理ページが無かった場合に、前記画像出力手段の前記画像出力を中止させる画像出力制御手段を更に備える請求項１乃至請求項５のいずれかに記載の画像出力装置。
【請求項７】
表示手段と、
前記演算手段により求められる論理ページが無かった場合に、前記表示手段にエラー表示をさせる表示制御手段とを更に備える請求項６に記載の画像出力装置。
【請求項８】
２つ以上の論理ページで構成される画像データと各前記論理ページの記録媒体への割り付けを示す割付情報とを関連付けて記憶する記憶手段を備え、前記割付情報に基づいて前記画像データの各論理ページを複数の記録媒体に割り付けて画像出力する画像出力装置であって、
入力手段と、
前記入力手段からの前記２つ以上の論理ページの中の所望の論理ページを示す論理ページ指定情報の入力を受け、前記割付情報に基づいて、前記論理ページ指定情報が示す論理ページと同じ記録媒体に割り付けられる全ての論理ページを求める演算手段と、
前記求められた論理ページを前記割付情報に基づいて画像出力する画像出力手段とを備えることを特徴とする画像出力装置。
【請求項９】
前記画像出力手段は、前記求められた論理ページを前記割付情報に基づいて前記論理ページ指定情報が示す論理ページが割り付けられる記録媒体に割り付けて画像形成する請求項８に記載の画像出力装置。
【請求項１０】
前記演算手段は、前記入力手段からの前記２つ以上の論理ページの中のいずれか１つを示す論理ページ指定情報の入力を受ける請求項８または請求項９に記載の画像出力装置。
【請求項１１】
前記割付情報に対応する各記録媒体に割り付けられる論理ページの数を示すテーブルを更に備え、
前記演算手段は、当該割付情報に対応する前記論理ページの数と前記論理ページ指定情報とから前記論理ページ指定情報が示す論理ページと同じ記録媒体に割り付けられる全ての論理ページを求める請求項８乃至請求項１０のいずれかに記載の画像出力装置。
【請求項１２】
前記演算手段は、前記割付情報に基づいて前記各論理ページと前記各論理ページが割り付けられる記録媒体との対応関係を求め、前記対応関係を用いて前記論理ページ指定情報が示す論理ページと同じ記録媒体に割り付けられる全ての論理ページを求める請求項８乃至請求項１０のいずれかに記載の画像出力装置。
【請求項１３】
２つ以上の論理ページで構成される画像データと各前記論理ページの記録媒体への割り付けを示す割付情報とを関連付けて記憶し、前記割付情報に基づいて前記画像データの各論理ページを複数の記録媒体に割り付けて画像出力する画像出力方法であって、
前記複数の記録媒体の中の所望の記録媒体を示す記録媒体指定情報の入力を受ける段階と、
前記割付情報に基づいて、前記記録媒体指定情報が示す記録媒体に割り付けられる論理ページを求める段階と、
前記求められた論理ページを前記割付情報に基づいて画像出力する段階とを含むことを特徴とする画像出力方法。
【請求項１４】
２つ以上の論理ページで構成される画像データと各前記論理ページの記録媒体への割り付けを示す割付情報とを関連付けて記憶し、前記割付情報に基づいて前記画像データの各論理ページを複数の記録媒体に割り付けて画像出力する画像出力方法であって、
前記２つ以上の論理ページの中の所望の論理ページを示す論理ページ指定情報の入力を受ける段階と、
前記割付情報に基づいて、前記論理ページ指定情報が示す論理ページと同じ記録媒体に割り付けられる全ての論理ページを求める段階と、
前記求められた論理ページを前記割付情報に基づいて画像出力する段階とを含むことを特徴とする画像出力方法。
【発明の詳細な説明】
【技術分野】
【０００１】
本発明は、２つ以上の論理ページで構成される画像データと各前記論理ページの印刷用紙等の記録媒体への割り付けを示す割付情報とを関連付けて記憶し、前記割付情報に基づいて前記画像データの各論理ページを画像出力する画像出力装置及び画像出力方法に関する。
【背景技術】
【０００２】
従来、画像出力装置として、例えば原稿をＣＣＤ等の撮像素子を含む読み取り手段により読み取り画像データとして取得し、その画像データを記憶手段に記憶し、記憶手段に記憶された画像データを読み出して印刷用紙に画像の出力を行うデジタル方式の画像出力装置が製品化されている。このようなデジタル方式の画像出力装置においては、記憶手段に画像データを記憶できることから記憶手段を活用した各種の機能が提案されている。なお、画像データは、上述のような読み取り手段により得られたもの、または、外部機器から受信した画像のデジタル化されたデータなどである。
【０００３】
その機能の一つとして、例えば画像データと割付情報を含む設定データとを記憶手段に記憶し、ジョブとして登録できるようになっているものがある。そして、このジョブを実行するにより、記憶手段に記憶された画像データと設定デ−タに基づいて画像出力を行う。例えば割付情報に基づいて画像データの各論理ページを印刷用紙に割り付けて画像出力を行う。論理ページとは、ジョブが含む画像データの各ページであり、論理ページ順とは、ジョブが含む画像データの順序をいう。また、画像データを印刷用紙等の記録媒体に割り付けた後の画像データの各ページを割付ページとし、割付ページ順とは、画像データが割り付けられた場合の出力ページ順をいうことにする。
【０００４】
また、近年、登録されたジョブについて修正を加える機能などが実現化されている。例えば、ジョブの画像データのある論理ページについて例えば画像出力時の印刷用紙に対する画像の位置を修正するウエイト機能がある。
【０００５】
ところが、このウエイト機能を用いて修正をした場合に修正結果を確認することがある。ところが、ジョブを実行して確認しようとすれば、必要のない論理ページについても印刷用紙に画像出力するので無駄を発生することになる。そこで、確認したい画像データの論理ページを指定してその指定した論理ページについて画像出力を行うことにより確認を可能にしたものがある（例えば、特許文献１参照。）。
【０００６】
また、ジョブを実行した後に、ある論理ページについて修正をした場合、修正された論理ページが出力された印刷用紙に差し替えることがある。例えば、特許文献１に記載の画像出力装置によれば、差し替えを行う場合に、修正を行った論理ページの他に修正された論理ページが出力される印刷用紙に画像出力される全ての論理ページを指定して画像出力を行うことになる。
【０００７】
【特許文献１】特開２００３−９４７５６号公報
【発明の開示】
【発明が解決しようとする課題】
【０００８】
しかしながら、割付情報が示す割り付けには、片面、両面、インターシート、章分け、差込ページ、オーバーレイ、２ｉｎ１、小冊子、リピートまたは無線綴じ、または、それらの組み合わせなど様々なものがある。例えば小冊子は、各印刷用紙の表面及び裏面の左右にそれぞれ画像データを割り付けて画像を出力し、印刷用紙を重ねて中央で折って綴じると左または右側から画像データの論理ページ順に画像が並ぶ小冊子となるようにするものである。つまり、各印刷用紙には画像データの論理ページが入れ替えられて画像出力される。また、インターシート挿入または章分けでは、インターシート挿入部分や章分け部分で、画像が連続せず白紙部分が存在するようになされる。つまり、画像データの論理ページの間に画像データのないページが挿入されて画像出力される。つまり、割り付けによっては、画像データが論理ページ順に画像出力されない、つまり論理ページと割付ページが異なる場合がある。
【０００９】
したがって、ジョブの割付情報によっては、ジョブの各画像データがどの印刷用紙のどこに割り付けられるか容易に判断することが難しい。したがって、上述の如くの画像データのある論理ページを修正したときに、その論理ページが出力される印刷用紙に画像出力される他の論理ページを容易に指定できない場合がある。例えば指定する際に、机上で模式的に並べ替えて確認したり、または、一つ一つ画像を目視で確認したりして、画像データを指定する必要があった。つまり、ある印刷用紙を差し替えるときに作業が煩雑になることがあった。
【００１０】
本発明は、上記事情に鑑みてなされたものであり、その目的とするところは、２つ以上の論理ページで構成される画像データの各論理ページが割付情報に基づいて割り付けられる複数の記録媒体の中の所望の記録媒体に所定の論理ページを割り付けて画像出力することが可能な画像出力装置及び画像出力方法を提供することにある。
【課題を解決するための手段】
【００１１】
上記課題を解決するために請求項１に記載の発明は、２つ以上の論理ページで構成される画像データと各前記論理ページの記録媒体への割り付けを示す割付情報とを関連付けて記憶する記憶手段を備え、前記割付情報に基づいて前記画像データの各論理ページを複数の記録媒体に割り付けて画像出力する画像出力装置であって、入力手段と、前記入力手段からの前記複数の記録媒体の中の所望の記録媒体を示す記録媒体指定情報の入力を受け、前記割付情報に基づいて、前記記録媒体指定情報が示す記録媒体に割り付けられる論理ページを求める演算手段と、前記求められた論理ページを前記割付情報に基づいて画像出力する画像出力手段とを備えることを特徴としている。
【００１２】
また、請求項２に記載の発明は、前記画像出力手段は、前記求められた論理ページを前記割付情報に基づいて記録媒体に割り付けて画像形成することを特徴としている。
【００１３】
また、請求項３に記載の発明は、前記演算手段は、前記入力手段からの前記複数の記録媒体の中のいずれか１つを示す記録媒体指定情報の入力を受けることを特徴としている。
【００１４】
また、請求項４に記載の発明は、前記割付情報に対応する各記録媒体に割り付けられる論理ページの数を示すテーブルを更に備え、前記演算手段は、当該割付情報に対応する前記論理ページの数と前記記録媒体指定情報とから前記記録媒体指定情報が示す記録媒体に割り付けられる論理ページを求めることを特徴としている。
【００１５】
また、請求項５に記載の発明は、前記演算手段は、前記割付情報に基づいて前記各論理ページと前記各論理ページが割り付けられる記録媒体との対応関係を求め、前記対応関係を用いて前記記録媒体指定情報が示す記録媒体に割り付けられる論理ページを求めることを特徴としている。
【００１６】
また、請求項６に記載の発明は、前記演算手段により求められる論理ページが無かった場合に、前記画像出力手段の前記画像出力を中止させる画像出力制御手段を更に備えることを特徴としている。
【００１７】
また、請求項７記載の発明は、表示手段と、前記演算手段により求められる論理ページが無かった場合に、前記表示手段にエラー表示をさせる表示制御手段とを更に備えることを特徴としている。
【００１８】
また、請求項８に記載の発明は、２つ以上の論理ページで構成される画像データと各前記論理ページの記録媒体への割り付けを示す割付情報とを関連付けて記憶する記憶手段を備え、前記割付情報に基づいて前記画像データの各論理ページを複数の記録媒体に割り付けて画像出力する画像出力装置であって、入力手段と、前記入力手段からの前記２つ以上の論理ページの中の所望の論理ページを示す論理ページ指定情報の入力を受け、前記割付情報に基づいて、前記論理ページ指定情報が示す論理ページと同じ記録媒体に割り付けられる全ての論理ページを求める演算手段と、前記求められた論理ページを前記割付情報に基づいて画像出力する画像出力手段とを備えることを特徴としている。
【００１９】
また、請求項９に記載の発明は、前記画像出力手段は、前記求められた論理ページを前記割付情報に基づいて前記論理ページ指定情報が示す論理ページが割り付けられる記録媒体に割り付けて画像形成することを特徴としている。
【００２０】
また、請求項１０に記載の発明は、前記演算手段は、前記入力手段からの前記２つ以上の論理ページの中のいずれか１つを示す論理ページ指定情報の入力を受けることを特徴としている。
【００２１】
また、請求項１１に記載の発明は、前記割付情報に対応する各記録媒体に割り付けられる論理ページの数を示すテーブルを更に備え、前記演算手段は、当該割付情報に対応する前記論理ページの数と前記論理ページ指定情報とから前記論理ページ指定情報が示す論理ページと同じ記録媒体に割り付けられる全ての論理ページを求めることを特徴としている。
【００２２】
また、請求項１２に記載の発明は、前記演算手段は、前記割付情報に基づいて前記各論理ページと前記各論理ページが割り付けられる記録媒体との対応関係を求め、前記対応関係を用いて前記論理ページ指定情報が示す論理ページと同じ記録媒体に割り付けられる全ての論理ページを求めることを特徴としている。
【００２３】
また、請求項１３に記載の発明は、２つ以上の論理ページで構成される画像データと各前記論理ページの記録媒体への割り付けを示す割付情報とを関連付けて記憶し、前記割付情報に基づいて前記画像データの各論理ページを複数の記録媒体に割り付けて画像出力する画像出力方法であって、前記複数の記録媒体の中の所望の記録媒体を示す記録媒体指定情報の入力を受ける段階と、前記割付情報に基づいて、前記記録媒体指定情報が示す記録媒体に割り付けられる論理ページを求める段階と、前記求められた論理ページを前記割付情報に基づいて画像出力する段階とを含むことを特徴としている。
【００２４】
また、請求項１４に記載の発明は、２つ以上の論理ページで構成される画像データと各前記論理ページの記録媒体への割り付けを示す割付情報とを関連付けて記憶し、前記割付情報に基づいて前記画像データの各論理ページを複数の記録媒体に割り付けて画像出力する画像出力方法であって、前記２つ以上の論理ページの中の所望の論理ページを示す論理ページ指定情報の入力を受ける段階と、前記割付情報に基づいて、前記論理ページ指定情報が示す論理ページと同じ記録媒体に割り付けられる全ての論理ページを求める段階と、前記求められた論理ページを前記割付情報に基づいて画像出力する段階とを含むことを特徴としている。
【発明の効果】
【００２５】
請求項１に記載の画像出力装置によれば、記録媒体の指定により、その記録媒体に割り付けられる画像データの論理ページを求め、求めた論理ページを割付情報に基づいて画像出力することができる。
【００２６】
請求項８に記載の画像出力装置によれば、画像データの指定により、その画像データが割り付けられる記録媒体に割り付けられる画像データの全ての論理ページを求め、求めた論理ページを割付情報に基づいて画像出力することができる。
【００２７】
請求項１３に記載の画像出力方法によれば、記録媒体の指定により、その記録媒体に割り付けられる画像データの論理ページを求め、求めた論理ページを割付情報に基づいて画像出力することができる。
【００２８】
請求項１４に記載の画像出力方法によれば、画像データの指定により、その画像データが割り付けられる記録媒体に割り付けられる画像データの全ての論理ページを求め、求めた論理ページを割付情報に基づいて画像出力することができる。
【発明を実施するための最良の形態】
【００２９】
本実施の形態の画像出力装置は、画像データと割付情報を含む設定データとを含むジョブを受け記憶手段に記憶し、ジョブを実行することにより、画像データと設定デ−タに基づいて画像出力を行うものである。
【００３０】
ここで、ジョブの構成の一例を図１に示す。図１に示すようにジョブは設定データ部と画像データ部からなる。設定データ部には、設定データが記述されている。設定データは、少なくとも割付情報を含み、他にパンチ処理の有無やステイプル処理の有無などの後処理情報、使用する印刷用紙（記録媒体）の指定情報、一部当りの給排紙枚数情報、表紙または裏表紙（表紙及びまたは裏表紙を、以下、カバーページと言う場合がある。）を付加するためのカバーシート情報、画像データの原稿サイズ情報または画像データ数情報などを含むことがある。また、画像データ部は、各画像データが論理ページ順に複数記述されている。この論理ページとは、ジョブが含む画像データの各ページである。また、論理ページ順とは、ジョブが含む画像データの順序をいうものであり、例えば画像データを作成したときに読み取り手段により読み取りを行った順、つまり原稿の順序を示し、または、作業端末でアプリケーションソフトを起動させて画像データを作成したときの、そのアプリケーションソフト上での各ページの順序を示すものである。また、以下の説明において、例えば論理ページでの２番目を２論理ページということがある。
【００３１】
またここで、割付情報が示す片面、両面、インターシート、章分け、差込ページ、オーバーレイ、２ｉｎ１、小冊子、リピートまたは無線綴じ、または、それらの組み合わせなどの割り付けの一例を図２を用いて説明する。
【００３２】
片面は、図２（ａ）に示すように印刷用紙の表面に画像出力される。また、この図の印刷用紙の紙面（図２（ａ）では表面）に記載した数字は、画像を示すとともにジョブにおける画像データの論理ページを示す（以下の図においても同様である。）。また、印刷用紙は、画像出力される順に並べてありその順序を用紙ページということにする。また、以下の説明において、例えば用紙ページでの２枚目の印刷用紙を２用紙ページということがある。また、画像データを印刷用紙等の記録媒体に割り付けた後の画像データの各ページを割付ページとし、割付ページ順とは、画像データが割り付けられた場合の出力ページ順をいうことにする。また、以下の説明において、例えば割り付け後の２番目を２割付ページということがある。
【００３３】
両面は、図２（ｂ）に示すように印刷用紙の表裏面に画像出力される。
【００３４】
インターシート（図には片面でインターシートを印刷用紙の２枚目に挿入する場合を示した）は、指定の挿入箇所に画像出力のない印刷用紙が挿入されるものである。図２（ｃ）に示すように、例えば２用紙ページが画像出力のない印刷用紙となっている。
【００３５】
章分けは、各章の先頭となる論理ページを本例では印刷用紙の表面に画像出力するようにしたものである。例えば４論理ページから２章となる場合には、図２（ｄ）に示すように、３論理ページを２用紙ページの表に画像出力し、４論理ページを３用紙ページの表に画像出力する。
【００３６】
差込ページは、指定された論理ページの画像データを指定された用紙ページの印刷用紙の紙面に画像出力するようにしたものである。例えば片面で７論理ページを２用紙ページに差し込む場合には、図２（ｅ）に示すように、７論理ページが２用紙ページの表に画像出力される。
【００３７】
オーバーレイは、指定された論理ページの画像データをその他の画像データに重畳して画像出力するようにしたものである。例えば片面で１論理ページの画像データを他の画像データ（２論理ページから７論理ページ）に重畳する場合には、図２（ｆ）に示すように、１論理ページが２論理ページから７論理ページに重畳され、２論理ページに重畳したものを１用紙ページに、以下同様に画像出力される。
【００３８】
２ｉｎ１は、２つの論理ページを印刷用紙の一紙面に並べて画像出力するようにしたものである。例えば片面で２ｉｎ１の場合には、図２（ｇ）に示すように、１論理ページと２論理ページが同じ紙面に、３論理ページと４論理ページが同じ紙面に、以下同様に画像出力される。また、４ｉｎ１は４つの画像データを、８ｉｎ１は８つの画像データを印刷用紙の一紙面に並べて画像出力する。
【００３９】
小冊子は、各印刷用紙の表面及び裏面の左右にそれぞれ画像データを割り付けて画像を出力し、印刷用紙を重ねて中央で折って綴じると左または右側から画像データの論理ページ順に画像が並ぶ小冊子となるようにするものである。例えば、８つの画像データを小冊子で画像出力する場合には、図２（ｈ）に示すように、１用紙ページの表面には１及び８論理ページが、１用紙ページの裏面には７及び２論理ページが、２用紙ページの表面には３及び６論理ページが、２用紙ページの裏面には５及び４論理ページがそれぞれ画像出力され、この場合には印刷用紙を重ねて中央で折って綴じると右側から画像データの論理ページ順に画像が並ぶ小冊子となる。
【００４０】
リピートは、同じ画像データを一紙面に並べて画像出力するようにしたものである。例えば片面でリピートの場合には、図２（ｉ）に示すように、１論理ページと１論理ページが同じ紙面に、２論理ページと２論理ページが同じ紙面に、以下同様に画像出力される。本例では、リピートを同じ画像データを２回繰り返し画像出力するものとするが、４回繰り返しや８回繰り返しとすることも可能である。
【００４１】
無線綴じは、各印刷用紙の表面及び裏面の左右にそれぞれ画像データを割り付けて画像を出力し、各印刷用紙を中央で折って折り側をそろえて綴じると左または右側から画像データの論理ページ順に画像が並ぶ冊子となるようにするものである。例えば、８つの画像データを無線綴じで画像出力する場合には、図２（ｊ）に示すように、１用紙ページの表面には１及び４論理ページが、１用紙ページの裏面には３及び２論理ページが、２用紙ページの表面には５及び８論理ページが、２用紙ページの裏面には７及び６論理ページがそれぞれ画像出力され、この場合には各印刷用紙を中央で折って折り側をそろえて綴じると右側から画像データの論理ページ順に画像が並ぶ冊子となる。
【００４２】
以下、本発明に係る画像出力装置の一実施形態について、図面を参照しながら具体的に説明する。
【００４３】
（全体構成）
図３は、本実施形態に係る画像出力装置の断面構成図である。例として示した画像出力装置は、電子写真方式の所謂デジタル複写機である。図１に示すように、画像出力装置は、操作部８０、自動原稿給送装置２（原稿搬送装置）、原稿読み取り部３、画像書込み部４、印刷用紙に画像形成を行う画像形成部５、給紙部６、後処理部８、制御部７とを含んで構成される。
【００４４】
操作部８０は、本発明の入力手段としての機能と表示手段としての機能を有する。また、詳細は図示しないがスイッチ、テンキー及び液晶タッチパネル等を含んで構成されている。これらの各種キー、液晶タッチパネル等を用いて、各種入力が可能である。
【００４５】
自動原稿給送装置２は、原稿載置トレイ２００、給紙ローラ２０１、分離ローラ２０２を有する原稿給紙部２０３と、搬送部２２２（搬送手段）と、原稿読み取り位置２３０と、原稿反転部２４１と、排紙ローラ２５０、排紙トレイ２６０とを有し、原稿給紙部２０３の原稿載置トレイ２００に載置された原稿を原稿読み取り位置２３０へ順次搬送して、原稿の読み取りを行い、排紙トレイ２６０へ排出する。
【００４６】
また、原稿の両面の読み取りを行う場合は、原稿の表面の読み取りの後に、原稿反転部２４１により原稿を反転し、再度、原稿読み取り位置２３０へ原稿を搬送し、裏面の読み取りを行ってから排紙トレイ２６０へ排出される。
【００４７】
原稿読み取り部３は、原稿を移動せしめながら読み取りの露光を行うプラテンガラス３００、原稿を載置して読み取りのための露光を行うプラテンガラス３０１、光源３０２、ミラー３０３，３０４，３０５、結像光学系３０６、ＣＣＤからなる撮像素子３０７、及び光学駆動系で構成されている。原稿読み取り部３では、キセノンランプからなる光源３０２からプラテンガラス３００，３０１上の原稿に光が照射され、この反射光はミラー３０３，３０４，３０５に導かれ結像光学系３０６を介してＣＣＤ撮像素子３０７に取り込まれ当該検出光をアナログ信号に光電変換する。そのアナログ信号は、図示しない画像処理部において、アナログ処理、Ａ／Ｄ変換、シェーディング補正、画像圧縮処理等が施されて、デジタル信号の画像データが作成される。そして、この画像データに操作部８０を用いて入力された設定データを付しジョブが作成される。また、プラテンガラス３０１上に原稿が載置された場合は、光学駆動系がプラテンガラス３０１に沿って原稿を走査することで、ＣＣＤ撮像素子３０７により画像が読み込まれる。
【００４８】
画像書込み部４に画像データに基づいて画像信号が入力されると、画像形成部５では、まず、感光体ドラム３１が時計方向に回転させられ、感光体ドラム３１の表面が除電されさらに帯電器３２により電荷を与えられる。そして、感光体ドラム３１上に画像書込み部４により画像信号に基づいてレーザビームが走査されて静電潜像が形成される。その後、感光体ドラム３１上の前記静電的な潜像は、現像器３３の現像剤によって反転現像が行われ可視のトナー像となる。
【００４９】
一方、給紙部６には、給紙トレイ４１Ａ〜４１Ｄが設けられている。給紙トレイ４１Ａ〜４１Ｄには各種サイズまたは紙種の印刷用紙が収納されている。そして、選択された印刷用紙が給紙トレイ４１Ａ〜４１Ｄの何れかから搬出ローラ４２Ａ〜４２Ｄによって繰り出され、搬出ローラ４３を介して画像の転写部３４に給紙される。給紙された印刷用紙は、感光体ドラム３１上のトナー像と同期して作動する搬送ローラ４４によって感光体ドラム３１上に送出される。この印刷用紙は、転写部３４の作用により、感光体ドラム３１上のトナー像が転写され、感光体ドラム３１上から分離されたのち、搬送ベルト４５を経て定着装置３７へ送られ、熱定着されることにより画像形成された後、排紙ローラ３８により後処理部８へ渡される。
【００５０】
また、印刷用紙の両面に画像出力する場合は、表面に画像形成され熱定着された印刷用紙はガイド４７を介して下方に搬送され、反転部４６の反転ローラ４８により表裏が反転させられて繰り出され、反転搬送路４９を介して再度画像形成部５に送られ、裏面に画像形成が行なわれる。
【００５１】
後処理部８は、機構の詳細を図示しないが、排紙ローラ３８により搬送された印刷用紙を受けて、内部に積載して製本加工を行う。製本加工を行う手段として、ステイプル加工を行うステイプル手段、中折り・中綴じの場合に記録用紙の折り加工を行う紙折り手段、表紙を追加する表装加工を行う表装手段等を備えている。
【００５２】
（制御構成）
本発明は、ジョブにおいて割付情報に基づいて画像データが割り付けられ画像出力される印刷用紙のうちの所望の印刷用紙を出力するものである。本発明の制御構成の一例について図４を用いて説明する。図４は、本発明の制御構成を示す機能ブロック図である。
【００５３】
操作部８０は、上述の各種キー、パネル等を用いて、枚数、変倍、コピー濃度、片面や両面などの割り付け、印刷用紙サイズ選択等の設定データの入力、ジョブ実行スタート等の指示、及び、本発明の入力手段としての機能を有し、ジョブの論理ページまたは用紙ページを指定することが可能で、それぞれを論理ページ指定情報または印刷用紙指定情報（記録媒体指定情報）として入力することが可能である。また、液晶タッチパネルの表示を制御する表示制御手段としての機能を備えている。
【００５４】
記憶部１０２は、管理部１０３からジョブを受けて記憶する記憶手段で、例えばハードディスクドライブ等の記憶手段で構成される。
【００５５】
制御部７は、管理部１０３、画像出力制御部１０１及び演算部１０４を含んで構成される。
【００５６】
管理部１０３は、ジョブを受け付けて、画像出力制御部１０１に送りジョブを実行させ、または、記憶部１０２に送りジョブを記憶させる。ジョブは、上述の原稿読み取り部３を用いて作成された画像データに操作部８０からの入力された設定データを付して作成されたもの、または、図示しない作業端末で画像データに設定データを付して作成され図示しないネットワークを介して受け付ける。
【００５７】
画像出力制御部１０１は、管理部１０３から受けたジョブまたは記憶部１０２から読み出したジョブを実行し、画像データを設定データに基づいて画像出力するように、上述の画像書込み部４、画像形成部５、給紙部６及び後処理部８を制御する。したがって、本発明の「画像出力手段」は、画像出力制御部１０１、画像書込み部４、画像形成部５、給紙部６及び後処理部８を含んで構成される。また、ジョブを実行するときに割付情報に基づいて、画像データを印刷用紙に割り付ける割付手段としての機能を有する。また、この割付手段は、画像データの論理ページを所定の用紙ページ及び紙面に図２に示したように割り付ける。また、指定された用紙ページが、画像データの割り付けのない印刷用紙、つまり、例えばインターシートや、カバーシートの場合に、指定されたページの出力の処理を中止させる画像出力制御手段としての機能を有する。
【００５８】
演算部１０４は、詳細は後述するが以下に示す各機能を有する。操作部８０からの論理ページ指定情報または印刷用紙指定情報の入力を受けて、論理ページ指定情報が示す指定された論理ページを含む印刷用紙または印刷用紙指定情報が示す指定された用紙ページの印刷用紙に割り付けられる画像データの論理ページを求める演算手段としての機能を有する。また、画像データと割り付け先との対応関係を示す表を作成する作成手段としての機能を有する。また、当該ジョブの設定データを指定された用紙ページだけを出力するような設定データに書き換える設定データ書き換え手段としての機能を有する。また、指定された用紙ページが、画像データの割り付けのない印刷用紙、つまり、例えばインターシートや、カバーシートの場合に、操作部８０にエラー表示をさせるように操作部８０の表示制御手段を制御する機能を有する。
【００５９】
制御部７は、これらの機能を実現するために、ＣＰＵ（図示せず）と、上述のテーブル、各種のプログラム、及び、そのプログラムを実行するときに必要な各種データなど記憶すると共に各種のプログラムを実行するときのワークエリアを構成するシステムメモリ（図示せず）と、を含んで構成される。
【００６０】
ここで、操作部８０での論理ページまたは用紙ページの指定及び演算部１０４での画像データの論理ページの求め方について詳細に説明する。
【００６１】
まず、論理ページまたは用紙ページを指定の入力について図５を用いて説明する。この指定の入力は液晶タッチパネルを用いて行うが、以下の表示は操作部８０の有する表示制御手段の機能により制御される。
【００６２】
まず、図５（ａ）に示す表示画面８００の機能表示部８０１の「読み出し」に触れると、記憶部１０２を検索してジョブ表示部８０２に記憶部１０２に記憶されているジョブが表示される。所望のジョブ、例えば「ｂｂｂ」に触れ、更に、出力表示部８０３の「自動出力」に触れると、図５（ｂ）に示すように設定部数入力表示８０４が表示される。ここで、「自動出力」はジョブの画像データを全部または所望の用紙ページを設定データに基づいて出力させるためのもので、「プルーフ出力」は、ジョブの試し印刷を行うためのもので、「ウエイト出力」は、修正、例えば印刷用紙に対する画像の位置の修正などを行うためのものである。
【００６３】
図５（ｂ）に示す設定部数入力表示８０４は、例えばテンキーを用いて「自動出力」における出力部数の入力を行うためのものである。また、設定部数入力表示８０４の「ページ指定」に触れることにより図５（ｃ）に示すようにページ入力表示８０５が表示される。
【００６４】
図５（ｃ）に示すページ入力表示８０５は、「自動出力」において出力する用紙ページの入力を行うためのものである。例えばテンキーを用いて所望の用紙ページを入力し「ＯＫ」に触れることによりその用紙ページが入力される。また、ページ入力表示８０５の「サムネイル」に触れることにより図５（ｄ）に示すようなサムネイル表示８０６を表示させて、「先頭」「▲」「▼」「最後」に触れながら所望の用紙ページの画像をサムネイルで表示させて選択することにより用紙ページ指定の入力を行うようにしてもよい。また、図示しないが用紙ページを指定することによりそのページのサムネイルを表示させるようにすれば、用紙ページが多い場合に、効率よく所望の画像をサムネイルで表示させることができる。
【００６５】
また、上述のページ入力表示８０５では用紙ページの指定の入力を説明したが、論理ページの指定の入力も同様に行うことができる。
【００６６】
上述のようにして出力部数及び用紙ページまたは論理ページの指定の入力を行い、図５（ａ）に示す表示画面８００に戻って「ＯＫ」に触れると、指定された用紙ページが印刷用紙指定情報として演算部１０４に送られる。または、指定された論理ページが論理ページ指定情報として演算部１０４に送られる。
【００６７】
次に、演算部１０４は、印刷用紙指定情報または論理ページ指定情報を受けて、割り付けられる論理ページを求める。以下にその説明をする。また、操作部８０を用いての入力が用紙ページの指定の場合または論理ページの指定の場合に分けて説明する。
【００６８】
〔用紙ページ〕
まず、操作部８０を用いての入力が用紙ページの指定の場合について説明する。
【００６９】
（必要画像データ数を用いる場合）
まず一例として、１印刷用紙に割り付けられる論理ページの数を示す必要画像データ数を用いて演算により必要な画像データの論理ページ求める方法を説明する。
【００７０】
例えば、割付情報に対応する必要画像データ数を必要画像データ数テーブルとして予め記憶しておく。図６に必要画像データ数テーブルの一例を示す。図６には、片面、両面のそれぞれについて、応用機能としてリピート、２ｉｎ１、４ｉｎ１、８ｉｎ１、及び、無線綴じを組み合わせた場合の必要画像データ数を示した。
【００７１】
演算部１０４は、操作部８０から印刷用紙指定情報を受けると、その印刷用紙指定情報が示す用紙ページの印刷用紙に割り付けられる画像データの先頭の論理ページを
（先頭論理ページ）＝（入力された用紙ページ−１）×（必要画像データ数）＋１
と求め、最終の論理ページを
（最終論理ページ）＝（先頭論理ページ）＋（必要画像データ数）−１
と求める。
【００７２】
例えば、両面、応用機能無し、３用紙ページの場合には、上記式から、
先頭論理ページ：（３−１）×２＋１＝５
最終論理ページ：５＋２−１＝６
と求めることができる（図２（ｂ）を参照）。
【００７３】
（必要画像データ数及びページ表を用いる場合）
次に、必要画像データ数を用いて演算により必要な画像データの割付ページ求め、割付ページに対応する論理ページを求める方法を説明する。例として、小冊子の場合を説明する。小冊子の必要画像データ数は４である。
【００７４】
まず、演算部１０４で、ジョブの画像データ数から小冊子に割り付けるときの論理ページと割付ページとの対応関係を示すページ表を作成する。そのページ表を図７に示す。そして、印刷用紙指定情報を受け、例えば印刷用紙指定情報が１用紙ページを示すものであれば、上記式と同様にして、
先頭割付ページ：（１−１）×４＋１＝１
最終割付ページ：１＋４−１＝４
と求める。そして、割付ページの１〜４に対応する論理ページを図７に示す表を検索して求め、１、８、７及び２論理ページとなる（図２（ｈ）を参照）。
【００７５】
（ページ表を用いる場合）
さらに次に、論理ページと用紙ページとの対応関係を示すページ表を用いる場合を説明する。これは、例えばインターシートなど計算により求めることが困難な場合に用いる。例として、割付情報が、画像データ数７、片面、インターシート（２用紙ページ目に白紙挿入）、２〜５論理ページは両面の場合を説明する。
【００７６】
まず、演算部１０４で、ジョブの論理ページと各論理ページを割付情報に基づいて割り付けるときの用紙ページとの対応関係を示すページ表を作成する。そのページ表を図８に示す。また、印刷用紙に割り付けた状態を図９に示すが、図８に示すページ表の論理ページと用紙ページとの関係は、図９に示す関係である。
【００７７】
そして、操作部８０から印刷用紙指定情報を受け、例えば印刷用紙指定情報が４用紙ページを示すものであれば、用紙ページの４に対応する論理ページを図８に示す表を検索して求め、４及び５論理ページとなる（図９を参照）。
【００７８】
また、上述の両面及び小冊子の例も、論理ページと用紙ページとの対応関係を示すページ表を用いて求めることができる。
【００７９】
〔論理ページ〕
次に、操作部８０を用いての入力が論理ページの指定の場合について説明する。
【００８０】
（必要画像データ数を用いる場合）
まず一例として、必要画像データ数を用いて演算により必要な画像データの論理ページ求める方法を説明する。
【００８１】
まず、必要画像データ数テーブルを予め記憶しておく（図６）。
【００８２】
演算部１０４は、操作部８０から論理ページ指定情報を受けると、その論理ページ指定情報が示す論理ページを含む用紙ページの印刷用紙に割り付けられる画像データの先頭の論理ページを
（先頭論理ページ）＝（入力された論理ページ−１）÷（必要画像データ数）の商×（必要画像データ数）＋１
と求め、最終の論理ページを
（最終論理ページ）＝（先頭論理ページ）＋（必要画像データ数）−１
と求める。ここで商とは割り算により得られた結果の整数値部分をいう。
【００８３】
例えば、両面、応用機能無し、３論理ページの場合には、上記式から、
先頭論理ページ：（（３−１）÷２の商）×２＋１＝３
最終論理ページ：３＋２−１＝４
と求めることができる（図２（ｂ）を参照）。
【００８４】
（ページ表を用いる場合）
次に、論理ページと用紙ページとの対応関係を示すページ表を用いる場合を説明する。これは、例えばインターシートなど計算により求めることが困難な場合に用いる。例として、割付情報が、画像データ数７、片面、インターシート（２用紙ページ目に白紙挿入）、２〜５論理ページは両面の場合を説明する。
【００８５】
まず、演算部１０４で、ジョブの論理ページと各論理ページを割付情報に基づいて割り付けるときの用紙ページとを対応付けたページ表を作成する。そのページ表を図８に示す。また、印刷用紙に割り付けた状態を図９に示すが、図８に示すページ表の論理ページと用紙ページとの関係は、図９に示すようになっている。
【００８６】
そして、操作部８０から論理ページ指定情報を受け、例えば論理ページ指定情報が４論理ページを示すものであれば、論理ページの４に対応する用紙ページを図８に示す表を検索して４用紙ページを求め、さらに、用紙ページの４に対応する論理ページを図８に示す表を検索して求め、４及び５論理ページとなる（図９を参照）。
【００８７】
演算部１０４は、上述のように論理ページを求めると、求めた論理ページを割付情報に基づいて割り付けた印刷用紙だけを出力するように当該ジョブの設定データを書き換える。例えば、画像データ数を求めた論理ページの数に、一部当りの給排紙数は１に（印刷用紙は一部当り一枚であるから）、カバーシートの設定があればカバーシートは無しに、また、後処理の設定があれば後処理は無しにするなどの書き換えを行い、求めた論理ページの画像データと書き換えた設定データとを画像出力制御部１０１に渡す。
【００８８】
また、初めに当該ジョブを読み出しておき、抽出した論理ページ以外の画像データを削除し、設定データを書き換えて画像出力制御部１０１に渡してもよい。
【００８９】
画像出力制御部１０１は、演算部１０４で求められた当該ジョブの画像データの論理ページを割付情報に基づいて割り付けた状態で画像出力するように画像書込み部４、画像形成部５、給紙部６及び後処理部８を制御する。
【００９０】
上述のように指定された論理ページを含む印刷用紙または指定された用紙ページの印刷用紙に当該ジョブの設定データに含まれる割付情報に基づいて割り付けられる画像データを画像出力することができる。
【００９１】
また、言うまでも無いが本制御構成は、電子写真方式の複写機に限らず電子写真方式のカラーレーザープリンタ、スキャナ・コピア・ファクシミリ機能を併せ持つ複合機、また、電子写真方式に限らずインクジェットプリンタ、銀塩写真方式のプリンタ等に適用が可能である。
【００９２】
（動作態様）
次に、上述のような構成の画像出力装置における動作態様の一例について、図１０を参照しつつ説明する。図１０は、本画像出力装置にける動作態様を示すフローチャートである。
【００９３】
まず、作業者が操作部８０を操作して、ジョブ、所望の用紙ページを示す印刷用紙指定情報または所望の論理ページを示す論理ページ指定情報、及び、出力部数を入力する（図１０ステップＳ１０１、以下省略して「Ｓ１０１」と表す。他のステップも同様に省略して表す。）。演算部１０４は、操作部８０からの入力を受けて、まず、当該ジョブの設定データを読み出し（Ｓ１０２）、指定された用紙ページがカバーページか否か判定して、カバーページであれば（Ｓ１０３、Ｙｅｓ）、ここで処理を中止し（Ｓ１０４）、エラー表示を操作部８０にさせる（Ｓ１０５）。エラー表示は、例えば処理を中止した旨、カバーページである旨、または、画像が出力されない旨（カバーページであるから）などを表示する。
【００９４】
カバーページでなければ（Ｓ１０３、Ｎｏ）、Ｓ１０６に遷移する。演算部１０４は、設定データの割付情報に、インターシート、章分け、差込ページ、オーバーレイ、または、小冊子を含む場合には（Ｓ１０６、Ｙｅｓ）、ジョブの画像データを読み出し（Ｓ１０７）、用紙ページが指定されていれば（印刷用紙指定情報を受けた場合）（Ｓ１０８、Ｙｅｓ）、上述したようにその印刷用紙指定情報が示す用紙ページに含まれる画像データの論理ページを求め（Ｓ１０９）、論理ページが指定されていれば（論理ページ指定情報を受けた場合）（Ｓ１０８、Ｎｏ）、上述したようにその論理ページ指定情報が示す論理ページを含む用紙ページを求め、その用紙ページに含まれる全ての論理ページを求める（Ｓ１１０）。
【００９５】
そして、演算部１０４は、Ｓ１０７で読み出した画像データから求めた論理ページ以外の画像データを削除する（Ｓ１１１）。さらに、演算部１０４は、指定されたページが白紙(インターシートつまり抽出された画像データが無し)の場合には（Ｓ１１２、Ｙｅｓ）、ここで処理を中止し（Ｓ１１３）、エラー表示を操作部８０にさせる（Ｓ１１４）。エラー表示は、例えば処理を中止した旨、インターシートである旨、または、画像データがない旨などを表示する。
演算部１０４は、指定されたページが白紙でなければ（Ｓ１１２、Ｎｏ）、指定された用紙ページだけを出力するような設定データに書き換えて（Ｓ１１９）、求めた論理ページの画像データと書き換えられた設定データとを画像出力制御部１０１に渡し、画像出力制御部１０１は、演算部１０４で求められた画像データと書き換えられた設定データとを受けて、画像出力を行う（Ｓ１２０）。
【００９６】
また、演算部１０４は、設定データの割付情報に、インターシート、章分け、差込ページ、オーバーレイ、または、小冊子を含まない場合には（Ｓ１０６、Ｎｏ）、用紙ページが指定されていれば（印刷用紙指定情報を受けた場合）（Ｓ１１５、Ｙｅｓ）、上述したようにその印刷用紙指定情報が示す用紙ページに含まれる画像データの論理ページを抽出し（Ｓ１１６）、論理ページが指定されていれば（論理ページ指定情報を受けた場合）（Ｓ１１５、Ｎｏ）、上述したようにその論理ページ指定情報が示す論理ページを含む用紙ページを求め、その用紙ページに含まれる全ての論理ページを求める（Ｓ１１７）。
【００９７】
そして、演算部１０４は、求めた論理ページの画像データを読み出し（Ｓ１１８）、指定された用紙ページだけを出力するような設定データに書き換えて（Ｓ１１９）、求めた画像データと書き換えられた設定データとを画像出力制御部１０１に渡し、画像出力制御部１０１は、演算部１０４で求められた画像データと書き換えられた設定データとを受けて、画像出力を行う（Ｓ１２０）。
【図面の簡単な説明】
【００９８】
【図１】本発明に係るジョブの構成を示す図である。
【図２】割付情報に基づいて印刷用紙に割り付けられた画像データを説明するための図である。
【図３】本実施の形態の画像出力装置の全体構成を示す断面図である。
【図４】本実施の形態の画像出力装置の制御構成を示す機能ブロック図である。
【図５】操作部に表示する画面の一例を示す図である。
【図６】割付情報に対応する必要画像データ数を示す図である。
【図７】論理ページと割付ページとを対応付けたページ表の構成を示す図である。
【図８】論理ページと用紙ページとを対応付けたページ表の構成を示す図である。
【図９】割付情報に基づいて印刷用紙に割り付けられた画像データの一例を示す模式図である。
【図１０】本画像出力装置における動作態様を示すフローチャートである。
【符号の説明】
【００９９】
２  自動原稿給送装置
３  原稿読み取り部
４  画像書込み部
５  画像形成部
６  給紙部
７  制御部
８  後処理部
８０  操作部
１０１  画像出力制御部
１０２  記憶部
１０３  管理部
１０４  演算部
【図１】
2007043645.tif 000003
【図２】
2007043645.tif 000004
【図３】
2007043645.tif 000005
【図４】
2007043645.tif 000006
【図５】
2007043645.tif 000007
【図６】
2007043645.tif 000008
【図７】
2007043645.tif 000009
【図８】
2007043645.tif 000010
【図９】
2007043645.tif 000011
【図１０】
2007043645.tif 000012